(57)【要約】  高粘度指数及び低ノアック揮発性を示す潤滑剤組成物が提供される。本発明の潤滑剤組成物は、（ａ）式Ｉ：ＲＯ―（ＡＯ）ｎ―Ｒ１（Ｉ）のポリアルキレングリコールであって、Ｒ、Ｒ１、及びｎは、本明細書において定義したものであるポリアルキレングリコールと、（ｂ）抗酸化剤を含む添加剤パッケージとを含む。
2014509684.tif 000002
【特許請求の範囲】
【請求項１】
潤滑剤組成物であって、
（ａ）下式Ｉのポリアルキレングリコールであって、
【化１】
2014509684.tif 000009
ここで、ＲはＣ４〜Ｃ２２のアルキルであり、ＡＯは独立してエチレンオキシ、プロピレンオキシ、ブチレンオキシ、又はこれらの二以上の組合せであり、ｎは８〜１６であり、Ｒ１はＣ１〜Ｃ６のアルキルである、ポリアルキレングリコールと、
（ｂ）抗酸化剤を含む添加剤パッケージと、を含み、
ここで、潤滑剤組成物が１３パーセント以下のノアック揮発性、及び少なくとも１６５の粘度指数を有する、潤滑剤組成物。
【請求項２】
ＲがＣ４〜Ｃ１４の直鎖アルキルである、請求項１に記載した潤滑剤組成物。
【請求項３】
Ｒ１がＣ１〜Ｃ３のアルキルである、請求項１又は２のいずれか一項に記載した潤滑剤組成物。
【請求項４】
式Ｉのポリアルキレングリコールが５００〜１５００ｇ／ｍｏｌの数平均分子量を有する、請求項１〜３のいずれか一項に記載した潤滑剤組成物。
【請求項５】
少なくとも１８０の粘度指数を有する、請求項１〜４のいずれか一項に記載した潤滑剤組成物。
【請求項６】
ＡＯがエチレンオキシ及びプロピレンオキシの組合せである、請求項１〜５のいずれか一項に記載した潤滑剤組成物。
【請求項７】
ＡＯがプロピレンオキシ及びブチレンオキシの組合せである、請求項１〜５のいずれか一項に記載した潤滑剤組成物。
【請求項８】
ＡＯがブチレンオキシである、請求項１〜５のいずれか一項に記載した潤滑剤組成物。
【請求項９】
ポリアルキレングリコールが下式ＩＩ、
【化２】
2014509684.tif 000010
であって、ここで、ＲはＣ４〜Ｃ２２のアルキルであり、ＰＯはプロピレンオキシであり、ｎは８〜１６であり、Ｒ１はＣ１〜Ｃ３のアルキルである、請求項１〜５のいずれか一項に記載した潤滑剤組成物。
【請求項１０】
添加剤パッケージが、
（ｉ）極圧耐摩耗添加剤、又は
（ｉｉ）防食添加剤、又は
（ｉｉｉ）摩擦調節剤、又は
（ｉｖ）酸捕捉剤、又は
（ｖ）（ｉ）〜（ｉｖ）の任意の組合せを更に含む、請求項１〜９のいずれか一項に記載した潤滑剤組成物。
【請求項１１】
モーターオイルである、請求項１〜１０のいずれか一項に記載した潤滑剤組成物。
【請求項１２】
モーターオイルが０Ｗ―２０のモーターオイルである、請求項１１に記載した潤滑剤組成物。
【請求項１３】
請求項１〜１２のいずれか一項に記載した潤滑剤組成物を提供することを含む、内燃機関に潤滑性を与える方法。
【発明の詳細な説明】
【技術分野】
【０００１】
［関連出願についてのクロスリファレンス］
本出願は、２０１１年３月２９日に出願された仮出願第６１／４６８６１５号に基づく優先権を主張するものであり、これは引用により本明細書中に完全に含まれる。
【０００２】
［技術分野］
本発明は、ポリアルキレングリコール化合物、及び抗酸化剤を含む添加剤パッケージを含む潤滑剤組成物に関する。潤滑剤組成物は、高粘度指数及び低揮発性を含む、有利な特性を示す。
【背景技術】
【０００３】
エンジン潤滑油のような潤滑剤組成物は、ベース油、及び添加剤から構成される。特定の合成のベース油、例えばポリアルキレングリコール（ＰＡＧ）は、可動部の間に優れた流体力学的なフィルム形成を促進する、固有の低摩擦特性、並びに良好な低温及び高温粘度特性によって特徴づけられる。
【０００４】
ＰＡＧベースの潤滑剤は従来の鉱油潤滑剤と比較して多くの利点を備えており、自動車エンジン設計部門によって要請されている増大している新しい性能基準に対処するＰＡＧベースの潤滑剤の能力のため、相手先商標製品製造会社（ＯＥＭ）によってますます使用されている。
【０００５】
それらの利点にも関わらず、ＰＡＧベースの潤滑剤は未だいくつかの欠点を示している。例えば、ＰＡＧは不利にも、増大した油の消費につながる可能性のある高揮発性を示すことがある。それに加えて、いくつかのＰＡＧの粘度指数は、所望の潤滑性及び燃料効率特性を提供するにはあまりに低いことがある。更に、いくつかのＰＡＧは油溶性ではないことがあり、鉱油ベースのエンジンからＰＡＧ潤滑剤に切替える工程に関連するコストの増大につながる可能性がある。そのようなコストは、ＰＡＧが鉱油に可溶性ではない場合に、更なるフラッシング及び処分段階を使用する必要があることから生じる。
【発明の概要】
【発明が解決しようとする課題】
【０００６】
低揮発性、高粘度指数、又は低揮発性及び高粘度指数の両方を示す新規な潤滑剤組成物が開発されれば、本技術分野における進歩となる可能性がある。油溶性でもある潤滑剤組成物は更なる利点となる可能性がある。
【課題を解決するための手段】
【０００７】
本発明は、潤滑剤組成物を提供する。本発明の組成物は、（ａ）下式Ｉのポリアルキレングリコールであって、
【化１】
2014509684.tif 000003
ここで、Ｒ、Ｒ１、及びｎは下記に定義されるものであるポリアルキレングリコールと、（ｂ）抗酸化剤を含む添加剤パッケージと、を含む。潤滑剤組成物は、１３パーセント以下のノアック揮発性、及び少なくとも１６５の粘度指数を有する。
【０００８】
本発明はまた、内燃機関に潤滑性を与える方法を提供する。その方法は、エンジンに対して本明細書に記載するような潤滑剤組成物を提供することを含む。
【発明を実施するための形態】
【０００９】
上記のように、一つの側面において、本発明は潤滑剤組成物を提供する。発明者は、抗酸化剤を含む添加剤パッケージの使用に併せて、特定の構造的特徴、例えば式ＩのＲ１の位置に短いアルキル基を有するＰＡＧを選択すると、特定の非常に望ましい特性が達成されることを見いだした。特に、高粘度指数及び低揮発性を示す潤滑剤組成物が達成される。更に、いくつかの実施形態において、本発明の組成物はまた油溶性であり、したがって、従来の鉱油のエンジンにおいて、そのようなＰＡＧベースの潤滑剤との交替を促進する。
【００１０】
本発明の潤滑剤組成物は、（ａ）下式Ｉのポリアルキレングリコールであって、
【化２】
2014509684.tif 000004
ここで、Ｒは、Ｃ４〜Ｃ２２のアルキルであり、ＡＯは、独立してエチレンオキシ、プロピレンオキシ、ブチレンオキシ、又はこれらの二以上の組合せであり、ｎは、８〜１６であり、Ｒ１はＣ１〜Ｃ６のアルキルである、ポリアルキレングリコールと、（ｂ）抗酸化剤を含む添加剤パッケージと、を含む。潤滑剤組成物は、１３パーセント以下のノアック揮発性、及び少なくとも１６５の粘度指数を有する。
【００１１】
式Ｉのポリアルキレングリコールは、当業者によって、周知の合成技術を用いて、容易に調製することができる。例えば、ＰＡＧを、脂肪族アルコール（しばしば「開始剤」と呼ばれる）を、単一の１，２―オキシド（エチレンオキシド、プロピレンオキシド、又はブチレンオキシド）と、又は１，２―オキシドの二以上の混合物と反応させる公知の技術によって形成してもよい。所望により、開始剤は、最初に１種の１，２―オキシドを用いてオキシアルキル化し、続いて異なる１，２―オキシド、又は１，２―オキシドの混合物を用いてオキシアルキル化してもよい。オキシアルキル化開始剤は、更に異なる１，２―オキシドを用いて、更にオキシアルキル化することができる。
【００１２】
便宜上、「混合物」とは、１，２―オキシドの混合物を含むＰＡＧに適用する場合、（１）２以上の１、２―オキシドと開始剤とを同時に反応させることによって行うランダム付加、（２）開始剤を、最初に１種の１、２―オキシドと反応させ、次に第二の１、２―オキシドと反応させるブロック付加、及び（３）開始剤を、最初に、第一の１、２―オキシドと反応させるブロック付加、続いて開始剤を、第一の１、２―オキシド及び第二の１、２―オキシドの組合せと反応させるランダム付加、によって調製したようなランダム及び／又はブロックポリエーテルの両者を含む。
【００１３】
異なる１、２―オキシドの、任意の適切な割合を使用してもよい。エチレンオキシド（ＥＯ）又はブチレンオキシド（ＢＯ）のいずれかとプロピレンオキシド（ＰＯ）との混合物を利用して、ランダム及び／又はブロック付加によりポリエーテルを形成する場合、ＰＯの比率は、いくつかの実施形態において、混合物の合計質量に基づいて４０質量パーセント〜６０質量パーセント、及び好ましくは４５質量パーセント〜５５質量パーセントとすることができる。
【００１４】
ＰＡＧの作製に使用する脂肪族アルコール反応剤は、１分子当たりに、１つのヒドロキシル基（ＯＨ）基、及び４炭素原子〜２２炭素原子を含むものを含む。具体例としては、限定されないが、ブタノール、ペンタノール、ヘキサノール、ネオペンタノール、イソブタノール、デカノール、プロピレングリコール  ｎ―ブチルエーテル（ＤＯＷＡＮＯＬＴＭＰｎＢとしてＤｏｗ  Ｃｈｅｍｉｃａｌ社から入手可能）、ジプロピレングリコール  ｎ―ブチルエーテル（ＤＯＷＡＮＯＬＴＭＤＰｎＢとしてＤｏｗ社から入手可能）、及びドデシルアルコール（例えばＮＡＣＯＬ（登録商標）１２―９９としてＳａｓｏｌ社から入手可能）を含む。
【００１５】
式ＩのＰＡＧは、Ｒ１の位置に短いアルキル基を含む。そのようなキャッピングは、当業者によって、例えばウィリアムソンのエーテル合成法によって、容易に達成することができる。キャップされていないＰＡＧを、最初に塩基と反応させ、末端ＯＨ基をアルコラートイオンの形態に変換する。このアルコラートを、次にハロゲン化アルキルと反応させ、結果としてキャップしたＰＡＧとなる。使用してもよい塩基の例としては、水酸化ナトリウム、及びナトリウムメタノラートである。使用してもよいハロゲン化アルキルの例としては、塩化メチルである。
【００１６】
式Ｉの好ましいＰＡＧは、ＲがＣ４〜Ｃ１４の直鎖アルキルである式ＩのＰＡＧである、式Ｉ―１の材料を含む。いくつかの実施形態において、ＲはＣ４〜１２の直鎖アルキル、代替的にＣ４のアルキル、又は代替的にＣ１２のアルキルである。
【００１７】
式Ｉ及びＩ―１の好ましいＰＡＧは、Ｒ１がＣ１〜Ｃ３のアルキル、代替的にＲ１がメチルである式Ｉ又はＩ―１のＰＡＧである、式Ｉ―２の材料を含む。
【００１８】
式Ｉ、Ｉ―１、及びＩ―２の好ましいＰＡＧは、ＡＯがエチレンオキシ及びプロピレンオキシの組合せである式Ｉ、Ｉ―１、又はＩ―２のＰＡＧである、式Ｉ―３の材料を含む。いくつかの実施形態において、ＰＡＧの作製に使用したＰＯの量に基づくプロピレンオキシの比率は、エチレンオキシ及びプロピレンオキシの組合せの合計質量に基づき約５０質量パーセントである。
【００１９】
式Ｉ、Ｉ―１、及びＩ―２の好ましいＰＡＧは、ＡＯがプロピレンオキシ及びブチレンオキシの組合せである式Ｉ、Ｉ―１、又はＩ―２のＰＡＧである、式Ｉ―４の材料を含む。いくつかの実施形態において、ＰＡＧの作製に使用したＰＯの量に基づくプロピレンオキシの比率は、ブチレンオキシ及びプロピレンオキシの組合せの合計質量に基づき約５０質量パーセントである。
【００２０】
式Ｉ、Ｉ―１、及びＩ―２の好ましいＰＡＧは、ＡＯがブチレンオキシである式Ｉ、Ｉ―１、又はＩ―２のＰＡＧである、式Ｉ―５の材料を含む。
【００２１】
式Ｉ、Ｉ―１、及びＩ―２の好ましいＰＡＧは、ＡＯがプロピレンオキシである式Ｉ、Ｉ―１、又はＩ―２のＰＡＧである、式Ｉ―６の材料を含む。
【００２２】
式Ｉ、Ｉ―１、Ｉ―２、Ｉ―３、Ｉ―４、Ｉ―５、及びＩ―６の好ましいＰＡＧは、数平均分子量が５００〜１５００ｇ／ｍｏｌである式Ｉ、Ｉ―１、Ｉ―２、Ｉ―３、Ｉ―４、Ｉ―５、又はＩ―６のＰＡＧである、式Ｉ―７の材料を含む。いくつかの実施形態において、数平均分子量は、７００〜１３００ｇ／ｍｏｌ、代替的に８００〜１２００ｇ／ｍｏｌであってもよい。
【００２３】
上記のように、本発明の組成物は有利な粘度指数（ＶＩ）を示す。ＶＩは、潤滑剤の粘度がどのように温度によって変化するかを示す。例えば、低いＶＩ（例えば１００）は、広範囲にわたる温度、例えば２０℃〜１００℃にわたって操作する装置の部品に潤滑性を与えるために使用した際に、流体粘度がかなり変化することを示唆している。ＶＩが増加するにつれて、潤滑性能も改善する傾向がある。この認識に基づいて、当業者は、低いＶＩ値（例えば１００）より、より高いＶＩ値（例えば１５０）を好む。本発明の組成物は、１６５以上の粘度指数（ＶＩ）を有する。いくつかの実施形態において、ＶＩは１８０以上、代替的に２００以上、又は代替的に２２０以上であってもよい。いくつかの実施形態において、ＶＩは４００以下であってもよい。
【００２４】
ＶＩを算出するため、まず、米国材料試験協会（ＡＳＴＭ）Ｄ７０４２に従い、スタビンガー粘度計を使用して、４０℃及び１００℃における動粘度を、センチストークス（ｃＳｔ）で、又はそのメートル法での等価な平方メートル毎秒（ｍ２／ｓｅｃ）で測定した。次にこの動粘度を用いて、ＡＳＴＭ  Ｄ２２７０に従い、ＶＩを算出した。
【００２５】
本発明の組成物は、それらのノアック揮発性に示されるような、有利な揮発性プロフィールを備えている。より多くのモーターオイルが蒸発すると、それらはより濃く、より重くなり、不十分な循環、低められた燃料経済性、並びに増大した油の消費、摩耗、及び排出の一因となる。従って、一般により低い揮発性が好ましい。本発明の組成物は、１３パーセント以下のノアック揮発性を有する。いくつかの実施形態において、ノアック揮発性は１０パーセント以下、代替的に８パーセント以下、又は代替的に６パーセント以下である。ノアック揮発性は、高温運転における潤滑剤の蒸発減を決定する、ＡＣＥＡ（Ｅｕｒｏｐｅａｎ  Ａｕｔｏｍｏｂｉｌｅ  Ｍａｎｕｆａｃｔｕｒｅｒｓ  Ａｓｓｏｃｉａｔｉｏｎ）の試験方法ＣＥＣ  Ｌ―４０によって決定してもよい。
【００２６】
式ＩのＰＡＧのいくつかは、特に、炭化水素油に油溶性であることがある、エチレンオキシ含有量が０質量パーセントのものである。そのような材料は、エンジン内の鉱油の、ＰＡＧベースの材料との交替を促進するので、特に有利である。特に、鉱油中へのＰＡＧの油溶性のため、交替は、複数回のフラッシング操作及び関連する廃棄物処理を必要とすることなく、容易に行うことができる。
【００２７】
いくつかの実施形態において、前述の実施形態の油溶性ＰＡＧは、下式ＩＩである。
【化３】
2014509684.tif 000005
ここで、ＲはＣ４〜Ｃ２２のアルキルであり、ＰＯはプロピレンオキシであり、ｎは８〜１６であり、また、Ｒ１はＣ１〜Ｃ３のアルキルである。
【００２８】
式ＩＩの好ましい油溶性ＰＡＧは、ＲがＣ４〜Ｃ１４の直鎖アルキルである式ＩＩのＰＡＧである、式ＩＩ―１の材料を含む。いくつかの実施形態において、ＲはＣ４〜１２の直鎖アルキル、代替的にＣ４のアルキル、又は代替的にＣ１２のアルキルである。
【００２９】
式ＩＩ及びＩＩ―１の好ましい油溶性ＰＡＧは、Ｒ１がメチルである式ＩＩ又はＩＩ―１のＰＡＧである、式ＩＩ―２の材料を含む。
【００３０】
式ＩＩ、ＩＩ―１、及びＩＩ―２の好ましい油溶性ＰＡＧは、数平均分子量が５００〜１５００ｇ／ｍｏｌである式ＩＩ、ＩＩ―１、又はＩＩ―２のＰＡＧである、式ＩＩ―３の材料を含む。いくつかの実施形態において、数平均分子量は、７００〜１３００ｇ／ｍｏｌ、代替的に８００〜１２００ｇ／ｍｏｌであってもよい。
【００３１】
前記のようなＰＡＧに加えて、本発明の組成物は、抗酸化剤を含む添加剤パッケージもまた含む。添加剤パッケージは、産業、例えば極圧耐摩耗添加剤、又は防食添加剤、又は摩擦調節剤、又は酸捕捉剤、又は前述のものの任意の組合せにおいて一般的に用いられる更なる添加剤を更に含んでもよい。いくつかの実施形態において、添加剤パッケージは、前述の成分、すなわち抗酸化剤、極圧耐摩耗添加剤、防食添加剤、摩擦調節剤、及び酸捕捉剤の全てを含む。
【００３２】
抗酸化剤は、そのような任意の従来の材料とすることができる。抗酸化剤は広範にわたって様々であり、アミン及びフェノール化合物のような種類からの化合物を含んでもよい。抗酸化剤としては、立体障害のフェノール系酸化防止剤、（例えば、オルトアルキル化フェノール化合物、例えば２，６―ジ―ｔｅｒｔ―ブチルフェノール、４―メチル―２，６―ジ―ｔｅｒｔ―ブチルフェノール、２，４，６―トリ―ｔｅｒｔ―ブチルフェノール、２―ｔｅｒｔ―ブチルフェノール、２，６―ジ―イソプロピルフェノール、２―メチル―６―ｔｅｒｔ―ブチルフェノール、２，４―ジメチル―６―ｔｅｒｔ―ブチルフェノール、４―（Ｎ，Ｎ―ジメチルアミノメチル）―２，６―ジ―ｔｅｒｔ―ブチルフェノール、４―エチル―２，６―ジ―ｔｅｒｔ―ブチルフェノール、２―メチル―６―スチリルフェノール、２，６―ジ―スチリル―４―ノニルフェノール、及びそれらの類似体、及び相同体）を挙げることができる。
【００３３】
適切な抗酸化剤の代表例もまた、限定されないが、ＩＲＧＡＮＯＸＴＭＬ０１、Ｌ０６、Ｌ５７、Ｌ９３（アルキル化ジフェニルアミン、及びアルキル化フェニルナフチルアミン）、ＩＲＧＡＮＯＸＴＭＬ１０１、Ｌ１０７、Ｌ１０９、Ｌ１１５、Ｌ１１８、Ｌ１３５（ヒンダードフェノール系酸化防止剤）、ＩＲＧＡＮＯＸＴＭＬ６４、Ｌ７４、Ｌ９４、Ｌ１３４、及びＬ１５０（抗酸化剤ブレンド）、ＩＲＧＡＦＯＳＴＭ１６８（ジ―ｔｅｒｔ―ブチルフェニルホスフェート）、ＩＲＧＡＮＯＸＴＭＥ２０１（アルファ―トコフェロール）、及びＩＲＧＡＮＯＸＴＭＬ９３（硫黄含有芳香族アミン抗酸化剤）が挙げられる。
【００３４】
好ましい抗酸化剤の代表例としては、限定されないが、アミン抗酸化剤、例えばＮ―フェニル―１―ナフタレンアミン、Ｎ―フェニルベンゼンアミンの２，４，４―トリメチルペンテンとの反応生成物；フェノチアジン；ジベンゾ―１，４―トリアジン；１，２―ジヒドロキノリン；ポリ（２，２，４―トリメチル―１，２―ジヒドロキノリン）；及び６，６’―ジ―ｔｅｒｔ―ブチル―２，２’―メチレンジ―ｐ―クレゾールが挙げられる。
【００３５】
潤滑剤組成物は、好ましくは、それぞれの質量パーセントは潤滑剤組成物の合計質量に基づいて、０．０１質量パーセント〜１．０質量パーセント、より好ましくは０．０５質量パーセント〜０．７質量パーセントのそのような抗酸化剤を含む。
【００３６】
極圧添加剤及び耐摩耗添加剤は、任意のそのような従来の材料であることができる。極圧添加剤及び耐摩耗添加剤の代表例としては、限定されないが、金属及びメチレンのジアルキル―ジチオ―カルバメート、ポリアスパラギン酸のエステル、トリフェニル―チオ―ホスフェート、ジアリールジスルフィド、ジアルキルジスルフィド、アルキルアリールスルフィド、ジベンジルジスルフィド、及びこれらの組み合わせが挙げられる。好ましい極圧添加剤及び耐摩耗添加剤の代表例としては、限定されないが、ジベンジルジスルフィド、Ｏ，Ｏ，Ｏ―トリフェニルホスホロチオネート、Ｚｎ―ジ―ｎ―ブチルジチオカルバメート、Ｍｏ―ジブチルジチオカルバメート、及びＺｎ―メチレン―ビス―ジアルキルジチオカルバメートが挙げられ、ジベンジルジスルフィドが特に好ましい。本発明の実施において使用することができる商業上入手可能な耐摩耗添加剤の代表例としては、限定されないが、ＩＲＧＡＬＵＢＥＴＭ６３、２１１、２３２、及び３５３（イソプロピル化トリアリールホスフェート）、ＩＲＧＡＬＵＢＥＴＭ２１１、及び２３２（ノニル化トリフェニルホスホロチオネート）、ＩＲＧＡＬＵＢＥＴＭ３４９（アミンホスフェート）、ＩＲＧＡＬＵＢＥＴＭ３５３（ジチオホスフェート）、ＩＲＧＡＦＯＳＴＭＤＤＰＰ（イソ―デシルジフェニルホスファイト）、及びＩＲＧＡＦＯＳＴＭＯＰＨ（ジ―ｎ―オクチル―ホスファイト）を含む。
【００３７】
防食添加剤（「金属不活性化剤」としても知られる）は、金属表面の腐食を阻害する、任意の単一化合物又は化合物の混合物でもよい。防食剤は、任意のそのような従来の材料であることができる。代表的な防食添加剤としては、チアジアゾール、及びトリアゾール、例えばトリルトリアゾール；トール油脂肪酸、オレイン酸、及びリノール酸から製造したようなダイマー及びトリマー酸；アルケニルコハク酸、及び無水アルケニルコハク酸防食剤、例えばテトラプロペニルコハク酸、無水テトラプロペニルコハク酸、ドデセニルコハク酸、無水ドデセニルコハク酸、ヘキサデセニルコハク酸、及び類似の化合物；並びにＣ８〜Ｃ２４のアルケニルコハク酸と、アルコール、例えばジオール及びポリグリコールとの半エステルが挙げられる。アミノコハク酸又はその誘導体も有用である。好ましい防食添加剤としては、限定されないが、モルホリン、Ｎ―メチルモルホリン、Ｎ―エチルモルホリン、アミノエチルピペラジン、モノエタノールアミン、２―アミノ―２―メチルプロパノール（ＡＭＰ）、液体トルトリアゾール誘導体、例えば２，２’―メチル―１Ｈ―ベンゾトリアゾール―１―イル―メチルイミノビス、及びメチル―１Ｈ―ベンゾトリアゾール、イソプロピルヒドロキシルアミン、ＩＲＧＡＭＥＴＴＭ３０（液体トルトリアゾール誘導体）、ＩＲＧＡＭＥＴＴＭ３０（液体トリアゾール誘導体）、ＩＲＧＡＭＥＴＴＭＳＢＴ７５（テトラヒドロベンゾトリアゾール）、ＩＲＧＡＭＥＴＴＭ４２（トルトリアゾール誘導体）、ＩＲＧＡＭＥＴＴＭＢＴＺ（ベンゾトリアゾール）、ＩＲＧＡＭＥＴＴＭＴＴＺ（トルトリアゾール）、イミダゾリン、及びその誘導体、ＩＲＧＡＣＯＲＴＭＤＣ１１（ウンデカンジオン酸）、ＩＲＧＡＣＯＲＴＭＤＣ１２（ドデカンジオン酸）、ＩＲＧＡＣＯＲＴＭＬ１８４（ＴＥＡ中和ポリカルボン酸）、ＩＲＧＡＣＯＲＴＭＬ１９０（ポリカルボン酸）、ＩＲＧＡＣＯＲＴＭＬ１２（コハク酸エステル）、ＩＲＧＡＣＯＲＴＭＤＳＳ  Ｇ（ｎーオレイルサルコシン）、及びＩＲＧＡＣＯＲＴＭＮＰＡ（イソ―ノニルフェノキシ酢酸）が挙げられる。潤滑剤組成物は、好ましくは、それぞれの質量パーセントは潤滑剤組成物の合計質量に基づいて、０．００５質量パーセント〜０．５質量パーセント、及びより好ましくは０．０１質量パーセント〜０．２質量パーセントの防食添加剤を含む。
【００３８】
酸捕捉剤は、酸を除去する能力を有する、単一化合物又は化合物の混合物である。酸捕捉剤は、任意のそのような従来の材料とすることができる。代表的な酸捕捉剤としては、限定されないが、例えば引用により本明細書中に含まれる、仏国特許第２，７９２，３２６号明細書において開示されている、立体障害カルボジイミドが挙げられる。潤滑剤組成物は、好ましくは、潤滑剤組成物の合計質量に基づく０．１質量パーセント〜１質量パーセントの酸捕捉剤を含む。
【００３９】
摩擦（レオロジー）調節剤は、任意のそのような従来の材料とすることができる。そのような材料の代表的な限定的でない例としては、ジフェニルメタン―ジイソシアネートキサメチレンジアミンとステアリルアミンとのコポリマー（例えば、ＬＵＶＯＤＵＲ（ＴＭ）ＰＶＵ―Ａ）である。潤滑剤組成物は、好ましくは、それぞれの質量パーセントは潤滑剤組成物の合計質量に基づいて、０．０１質量パーセント〜１．０質量パーセント、より好ましくは０．０５質量パーセント〜０．７質量パーセントのそのような摩擦調節剤を含む。
【００４０】
潤滑剤組成物は、任意に少量の抗乳化剤及び／又は消泡剤を含む。そのような抗乳化剤としては、有機スルホネート及びオキシアルキル化フェノール樹脂が挙げられる。本技術分野において様々な消泡剤、例えばステアリルアミン、シリコーン、及び有機ポリマー、例えばアクリレートポリマーが周知である。そのような添加剤は、含まれる場合、潤滑剤組成物の合計質量に基づいて、個別に多くとも１質量パーセントで典型的に含まれる。潤滑剤組成物はまた、任意に濃化剤、例えばポリエチレンオキシド、ポリアクリレート、スチレン―アクリレートラテックス、スチレンブタジエンラテックス、及びポリウレタンプレポリマーを含む。濃化剤は、含まれる場合、所望の濃度又は粘度を有する潤滑剤組成物を更に提供するのに十分な量において使用される。組成物は、燃焼プロセスから製品を安定させる分散剤系を含んでもよい。
【００４１】
いくつかの実施形態において、潤滑剤組成物は、０．１質量パーセント未満、代替的に０．０５質量パーセント未満の、（酸捕捉剤として機能することがある）アスパラギン酸、又はアスパラギン酸誘導体を含む。いくつかの実施形態において、潤滑剤組成物は、アスパラギン酸、又はその誘導体を含まない。
【００４２】
いくつかの実施形態において、本発明の潤滑剤組成物は、組成物の合計質量に基づいて５０〜９９．９質量パーセントのＰＡＧを含んでもよい。いくつかの実施形態において、組成物は、組成物の合計質量に基づいて０．１０〜１０質量パーセントの添加剤パッケージを含む。
【００４３】
潤滑剤組成物は、構成成分を単純に添加し、混合することによって調製してもよい。これは、室温（名目上２５℃）において行うことができる。最高で例えば１７０℃の高温を使用して、ＰＡＧベースストック内への添加剤の可溶化を行ってもよい。例えば、超音波で、又は高速ディスパーゲーターを用いて、混合を行ってもよい。
【００４４】
組成物は、例えば自動車エンジンなどの内燃機関のための潤滑剤として有用性を有する。したがって、いくつかの実施形態において、潤滑剤組成物はモーターオイルである。更に、いくつかの実施形態において、モーターオイルは、０Ｗ―２０のモーターオイルである。
【００４５】
本明細書において用いるように、エチレンオキシは―ＣＨ２―ＣＨ２―Ｏ―を指し、プロピレンオキシは―ＣＨ２―ＣＨ（ＣＨ３）―Ｏ―又は―ＣＨ（ＣＨ３）―ＣＨ２―Ｏ―を指し、また、ブチレンオキシは―ＣＨ２―ＣＨ（ＣＨ２ＣＨ３）―Ｏ―又は―ＣＨ（ＣＨ２ＣＨ３）―ＣＨ２―Ｏ―を指す。
【００４６】
用語「アルキル」は、示した炭素原子数を有する、直鎖及び分岐鎖脂肪族基を含む。
【００４７】
数値範囲は、その範囲を定めている数を含む。特に明記しない限り、本明細書において用いる比率、パーセンテージ、割合、及びこれらと同種のものは質量による。
【００４８】
以下の例は、本発明の説明であるが、本発明の範囲を限定することを目的とするものではない。
【実施例】
【００４９】
表１に、例において使用する材料を示す。ＰＡＧは、上記の通りに調製することができる。例えば、サンプルＡのＰＡＧは、８００ｇ／ｍｏｌの分子量を有し、メチルでキャップした、ジプロピレングリコール  ｎ―ブチルエーテルを開始剤とした、ＥＯ―ＰＯ（１：１）ランダムコポリマーである。
【００５０】
【表１】
2014509684.tif 000006
【００５１】
《例１》
〈粘度指数〉
表２は、様々なサンプルの粘度指数（ＶＩ）を示す。
【００５２】
【表２】
2014509684.tif 000007
【００５３】
《例２》
〈ノアック揮発性〉
表３は、処方した及び処方していないサンプル間のノアック揮発性の比較である。
【００５４】
【表３】
2014509684.tif 000008
【００５５】
表３のデータは、処方したサンプル（すなわち、本発明のサンプルＡ、Ｇ、及びＨ）は、優れたノアック揮発性を示し、示したＡＣＥＡ試験に合格することを示している。対照的に、処方していないサンプル（すなわち、比較用試料Ｂ、Ｃ、Ｄ、Ｅ、Ｆ）は、ＡＣＥＡ試験に不合格であった。
【手続補正書】
【提出日】平成25年10月1日(2013.10.1)
【手続補正１】
【補正対象書類名】明細書
【補正対象項目名】００５５
【補正方法】変更
【補正の内容】
【００５５】
表３のデータは、処方したサンプル（すなわち、本発明のサンプルＡ、Ｇ、及びＨ）は、優れたノアック揮発性を示し、示したＡＣＥＡ試験に合格することを示している。対照的に、処方していないサンプル（すなわち、比較用試料Ｂ、Ｃ、Ｄ、Ｅ、Ｆ）は、ＡＣＥＡ試験に不合格であった。
以下の項目［１］〜［１３］に、本発明の実施形態の例を列記する。
［項目１］
潤滑剤組成物であって、
（ａ）前述の式Ｉのポリアルキレングリコールであって、ここで、ＲはＣ４〜Ｃ２２のアルキルであり、ＡＯは独立してエチレンオキシ、プロピレンオキシ、ブチレンオキシ、又はこれらの二以上の組合せであり、ｎは８〜１６であり、Ｒ１はＣ１〜Ｃ６のアルキルである、ポリアルキレングリコールと、
（ｂ）抗酸化剤を含む添加剤パッケージと、
を含み、ここで、潤滑剤組成物が１３パーセント以下のノアック揮発性、及び少なくとも１６５の粘度指数を有する、潤滑剤組成物。
［項目２］
ＲがＣ４〜Ｃ１４の直鎖アルキルである、項目１に記載した潤滑剤組成物。
［項目３］
Ｒ１がＣ１〜Ｃ３のアルキルである、項目１又は２のいずれか一項に記載した潤滑剤組成物。
［項目４］
式Ｉのポリアルキレングリコールが５００〜１５００ｇ／ｍｏｌの数平均分子量を有する、項目１〜３のいずれか一項に記載した潤滑剤組成物。
［項目５］
少なくとも１８０の粘度指数を有する、項目１〜４のいずれか一項に記載した潤滑剤組成物。
［項目６］
ＡＯがエチレンオキシ及びプロピレンオキシの組合せである、項目１〜５のいずれか一項に記載した潤滑剤組成物。
［項目７］
ＡＯがプロピレンオキシ及びブチレンオキシの組合せである、項目１〜５のいずれか一項に記載した潤滑剤組成物。
［項目８］
ＡＯがブチレンオキシである、項目１〜５のいずれか一項に記載した潤滑剤組成物。
［項目９］
ポリアルキレングリコールが前述の式ＩＩであって、ここで、ＲはＣ４〜Ｃ２２のアルキルであり、ＰＯはプロピレンオキシであり、ｎは８〜１６であり、また、Ｒ１はＣ１〜Ｃ３のアルキルである、項目１〜５のいずれか一項に記載した潤滑剤組成物。
［項目１０］
添加剤パッケージが、
（ｉ）極圧耐摩耗添加剤、又は
（ｉｉ）防食添加剤、又は
（ｉｉｉ）摩擦調節剤、又は
（ｉｖ）酸捕捉剤、又は
（ｖ）（ｉ）〜（ｉｖ）の任意の組合せを更に含む、項目１〜９のいずれか一項に記載した潤滑剤組成物。
［項目１１］
モーターオイルである、項目１〜１０のいずれか一項に記載した潤滑剤組成物。
［項目１２］
モーターオイルが０Ｗ―２０のモーターオイルである、項目１１に記載した潤滑剤組成物。
［項目１３］
項目１〜１２のいずれか一項に記載した潤滑剤組成物を提供することを含む、内燃機関に潤滑性を与える方法。
【手続補正２】
【補正対象書類名】特許請求の範囲
【補正対象項目名】全文
【補正方法】変更
【補正の内容】
【特許請求の範囲】
【請求項１】
潤滑剤組成物であって、
（ａ）下式Ｉのポリアルキレングリコールであって、
【化１】
2014509684.tif 000011
ここで、ＲはＣ４〜Ｃ２２のアルキルであり、ＡＯは独立してエチレンオキシ、プロピレンオキシ、ブチレンオキシ、又はこれらの二以上の組合せであり、ｎは８〜１６であり、
Ｒ１はＣ１〜Ｃ６のアルキルである、ポリアルキレングリコールと、
（ｂ）アミン抗酸化剤を含む添加剤パッケージと、を含み、
ここで、潤滑剤組成物が１３パーセント以下のノアック揮発性、及び少なくとも１６５の粘度指数を有する、潤滑剤組成物。
【請求項２】
ＲがＣ４〜Ｃ１４の直鎖アルキルである、請求項１に記載した潤滑剤組成物。
【請求項３】
Ｒ１がＣ１〜Ｃ３のアルキルである、請求項１又は２のいずれか一項に記載した潤滑剤組成物。
【請求項４】
ＡＯがエチレンオキシ及びプロピレンオキシの組合せである、請求項１〜３のいずれか一項に記載した潤滑剤組成物。
【請求項５】
ＡＯがプロピレンオキシ及びブチレンオキシの組合せである、請求項１〜３のいずれか一項に記載した潤滑剤組成物。
【請求項６】
ＡＯがブチレンオキシである、請求項１〜３のいずれか一項に記載した潤滑剤組成物。
【請求項７】
ポリアルキレングリコールが下式ＩＩ、
【化２】
2014509684.tif 000012
であって、ここで、ＲはＣ４〜Ｃ２２のアルキルであり、ＰＯはプロピレンオキシであり、ｎは８〜１６であり、Ｒ１はＣ１〜Ｃ３のアルキルである、請求項１〜３のいずれか一項に記載した潤滑剤組成物。
【請求項８】
添加剤パッケージが、
（ｉ）極圧耐摩耗添加剤、又は
（ｉｉ）防食添加剤、又は
（ｉｉｉ）摩擦調節剤、又は
（ｉｖ）酸捕捉剤、又は
（ｖ）（ｉ）〜（ｉｖ）の任意の組合せを更に含む、請求項１〜７のいずれか一項に記載した潤滑剤組成物。
【請求項９】
モーターオイルである、請求項１〜８のいずれか一項に記載した潤滑剤組成物。
【請求項１０】
請求項１〜９のいずれか一項に記載した潤滑剤組成物を提供することを含む、内燃機関に潤滑性を与える方法。
【国際調査報告】
2014509684.tif 000013
2014509684.tif 000014